(57)【要約】      （修正有）【課題】祭り用品の貸し出しやその洗濯を管理する管理システムを提供する。【解決手段】神社・町内会が所有する祭り用品ＭにＩＣタグ情報が記憶されたＩＣタグを付して、神社・町内会に属する氏子・町内会会員にＩＣタグＴが付された祭り用品を貸し出す管理システムでって、サーバー３０と管理者端末２０とを備える。サーバーには、名簿データ、用品データ及びお祭りデータがあり、管理者端末は、神社端末１０との間で、氏子からの貸出申込情報を受信して、貸出申込情報に基づいて、用品データから貸出用品と、名簿データから貸出人名を対応させ、かつ、お祭りデータから、貸出日と返却日を入力するリスト情報を新たに作成した貸出データをサーバーに保存する。貸出時、リーダー・ライター４０を介して、ＩＣタグに貸出データを送信し、返却時、返却されたかを、リーダー・ライターを介して、ＩＣタグの情報から確認して、神社端末に送信する。【選択図】図１
2020135421.tif 000002
【特許請求の範囲】
【請求項１】
神社・町内会が所有する祭り用品に、
前記祭り用品を識別するＩＣタグ情報が記憶されたＩＣタグを付して、
前記神社・町内会に属する氏子・町内会会員に前記ＩＣタグが付された祭り用品を貸し出す場合の管理を委託された業務に関するシステムであって、
管理者には、サーバーと管理者端末とがあり、
前記サーバーには、Ａ．とＢ．とＣ．のデータがあり、
Ａ．氏子・町内会会員の名簿が記載されたデータ（以後、「名簿データ」という。）と、
Ｂ．ＩＣタグが付された神社・町内会が所有する祭り用品が記載されたデータ（以後、「用品データ」という。）と、
Ｃ．お祭りが開催される期間に関するデータ（以後、「お祭りデータ」という。）と
があり、
前記管理者端末では、前記神社・町内会の端末との間で、前記氏子・町内会会員からの貸出申込情報を受信して、
前記貸出申込情報から、
Ｂ．の用品データから貸出用品と、
Ａ．の名簿データから貸出人名を対応させ、
かつ、
Ｃ．のお祭りデータから、貸出日と返却日を入力するリスト情報を新たに作成したデータ（以後、「貸出データ」という。）をサーバーで保存し、
貸出時、リーダー・ライターを介して、前記ＩＣタグに貸出データを送信し、
返却時、貸し出した祭り用品が返却されたかを、前記リーダー・ライターを介して、前記ＩＣタグの情報から確認して、前記神社・町内会の端末に送信して管理するシステム。
【請求項２】
前記貸出用品の返却された後、前記管理者からクリーニング屋に、洗濯を委託する場合、
管理者には、サーバーと管理者端末とがあり、
前記サーバーでは、前記貸出データに基づき、クリーニング屋の名称を記載したリストのデータを新たに作成し、
管理者端末では、洗濯する前記祭り用品をリーダー・ライターから読み込んだＩＣタグ情報を受信して、
クリーニング屋からの洗濯終了時に、ＩＣタグからの情報で、洗濯された祭り用品の全て確認し、
その後管理者端末から神社・町内会の端末にその旨を送信して管理する請求項１記載のシステム。
【請求項３】
前記サーバーをクラウド上に設置することで、神社・町内会の端末でも、返却情報を閲覧することができる請求項１又は請求項２に記載の管理システム。
【請求項４】
請求項３記載の管理システムであって、更に、神社・町内会からクリーニング屋に洗濯を委託する場合においても、返却情報を閲覧できる管理システム。
【発明の詳細な説明】
【技術分野】
【０００１】
本発明は、神社・町内会が貸し出す祭り用品の管理を、ＩＣタグとＩＴを用いて、一括して管理するシステムに関する。
【背景技術】
【０００２】
非接触ＩＤタグが付けられた状態で物品の物品管理システムに関しては、主として、在庫管理に場面で利用されている。
【先行技術文献】
【特許文献】
【０００３】
【特許文献１】特開２００６−１７１４号公報
【発明の概要】
【発明が解決しようとする課題】
【０００４】
昨今の神社業界の現状として、神職のなり手がいないなど、経営困難に直面している神社が多数ある。このような状況下、神社にとっては、とりわけ重要な行事である祭りにおいて使用されるはんてん（袢天）等の貸し出しやその洗濯の管理の負担が増している。通常、紙媒体での申込みがあり、ノート等の紙媒体を通じて、貸出状況を管理しているが、大変、負担となっている。
【０００５】
先行技術文献に示すように、ＩＣタグがバーコードに代わり、商品の在庫管理に利用されている。これを、在庫管理だけではなく、祭り用品自体に、縫い込んでおくことで、貸出や洗濯の管理を容易にできる。その結果、貸出した祭り用品が、どの氏子から、そしてどの祭り用品が返却されていないかを管理できるので、負担も軽減される。また、返却された祭り用品の洗濯も、通常、クリーニング屋に委託するが、その際にもＩＣタグ付きの祭り用品であれば、管理も容易となる。また、町内会もお祭りがあり、今回、解決すべき課題が共通する。つまり、神社と同様に、町内会にとっても、祭りの際に町内会会員に対する祭り用品の貸し出しやその洗濯の管理に係る負担が増えている。
【課題を解決するための手段】
【０００６】
そこで、まず、神社・町内会の氏子・町内会会員の名簿をデータ化する。次に、神社・町内会が所有する祭り用品にＩＣタグを付してデータ化する。これらの情報を基に、貸出用品リストに関するデータを作成し、返却日に、貸出用品の不足がないかを確認してデータ化する。
【０００７】
すなわち、本発明では、神社・町内会が所有する祭り用品に、祭り用品を識別するＩＣタグ情報が記憶されたＩＣタグを付して、神社・町内会に属する氏子・町内会会員にＩＣタグが付された祭り用品を貸し出す場合の管理を委託された業務に関するシステムであって、管理者には、サーバーと管理者端末とがあり、サーバーには、次のＡ．とＢ．とＣ．のデータがあり、Ａ．氏子・町内会会員の名簿が記載されたデータ（以後、「名簿データ」という。）と、Ｂ．ＩＣタグが付された神社・町内会が所有する祭り用品が記載されたデータ（以後、「用品データ」という。）と、Ｃ．お祭りが開催される期間に関するデータ（以後、「お祭りデータ」という。）と、があり、管理者端末では、神社・町内会の端末との間で、氏子・町内会会員からの貸出申込情報を受信して、貸出申込情報から、Ｂ．の用品データから貸出用品と、Ａ．の名簿データから貸出人名を対応させ、かつ、Ｃ．のお祭りデータから、貸出日と返却日を入力するリスト情報を新たに作成したデータ（以後、「貸出データ」という。）をサーバーで保存し、貸出時、リーダー・ライターを介して、ＩＣタグに貸出データを送信し、返却時、貸し出した祭り用品が返却されたかを、リーダー・ライターを介して、ＩＣタグの情報から確認して、神社・町内会の端末に送信して管理する。
【０００８】
上記システムにおいて、貸出用品の返却された後、管理者からクリーニング屋に、洗濯を委託する場合、管理者には、サーバーと管理者端末とがあり、サーバーでは、貸出データに基づき、クリーニング屋の名称を記載したリストのデータを新たに作成し、管理者端末では、洗濯する祭り用品をリーダー・ライターから読み込んだＩＣタグ情報を受信して、クリーニング屋からの洗濯終了時に、ＩＣタグからの情報で、洗濯された祭り用品の全て確認し、その後管理者端末から神社・町内会の端末にその旨を送信して管理してもよい。また、サーバーをクラウド上に設置することで、神社・町内会の端末でも、返却情報を閲覧することができるようにしてもよい。更に、神社・町内会からクリーニング屋に洗濯を委託する場合においても、返却情報を閲覧できるようにしてもよい。
【発明の効果】
【０００９】
本発明によれば、ＩＣタグを祭り用品自体に付しておくことで、貸出や洗濯の管理を容易にできる。その結果、貸出した祭り用品が、どの氏子から、そしてどの祭り用品が返却されていないかを管理できるので、負担も軽減される。また、返却された祭り用品の洗濯も、通常、クリーニング屋に委託するが、その際にもＩＣタグ付きの祭り用品であれば、管理も容易となる。
【図面の簡単な説明】
【００１０】
【図１】実施形態における管理システムの概要を示す概略図である。
【図２】名簿データの一例を示す図である。
【図３】用品データの一例を示す図である。
【図４】お祭りデータの一例を示す図である。
【図５】図１の管理システムにおける祭り用品の貸出及び返却に係る工程の一例を示すフローチャートである。
【図６】貸出データの一例を示す図である。
【図７】図１の管理システムにおける祭り用品の洗濯をクリーニング屋に委託して行う工程の一例を示すフローチャートである。
【図８】クリーニングリストデータの一例を示す図である。
【図９】変形例に係る管理システムの概要を示す概略図である。
【発明を実施するための形態】
【００１１】
以下、本発明の実施形態について、図面を参照しながら説明する。ただし、本発明は、図面に示す実施形態に限定されるものではない。
【００１２】
図１は、実施形態に係る管理システム１００の概要を示す概略図である。管理システム１００は、神社が貸し出す祭り用品Ｍを一括して管理するシステムである。より具体的には、管理システム１００は、神社の所有する祭り用品Ｍに、当該祭り用品Ｍを識別するＩＣタグ情報が記憶されたＩＣタグＴを付して、神社に属する氏子にＩＣタグＴが付された祭り用品Ｍを貸し出す場合の管理を委託された業務に関するシステムである。
【００１３】
神社とは、例えば、神道の神を祭り、祭祀や参拝のための施設のある所をいう。祭り用品Ｍとは、祭りの際に用いられる物品をいい、例えば、足袋、鯉口シャツ、腹掛、股引、雪駄・草履、江戸一、ダボ、手拭い、帯、半纏・法被、はちまき、お面、袋物、木札、祭り小物、提灯などが該当する。上述したように、祭り用品ＭにはＩＣタグＴが付されている。ＩＣタグＴは、例えば、祭り用品Ｍに縫い付けられた状態となっており、祭り用品Ｍの管理や洗濯の際に妨げとならないようにしてある。ＩＣタグＴは、無線で情報の読み出し・書き込みが可能なＩＣチップを内蔵した荷札であり、例えば、無線式のＩＣチップ、ＩＣカード、ＩＣタグなどである。また、ＩＣタグＴは、ＲＦＩＤ（Radio frequency identification）の一種であり、後述するリーダー・ライター４０から送信される電波を受信すると、これに応答する形で、情報処理を行って電波を返信する。ＩＣタグＴには、祭り用品Ｍを識別するＩＣタグ情報が記憶されており、例えば、祭り用品Ｍのそれぞれを個体識別可能とするためのＩＤ（Identification）番号が付与されている。
【００１４】
神社は、祭り用品Ｍを所有するとともに、氏子に対して祭り用品Ｍの貸出しを行う。氏子とは、例えば、同じ氏神を信仰し、その神社の信仰圏を形成する人々をいう。
【００１５】
図１に示すように、管理システム１００は、神社端末１０と、管理者端末２０と、サーバー３０と、リーダー・ライター４０と、を備える。神社端末１０は、神社側に設置されている。他方、管理者端末２０、サーバー３０、及びリーダー・ライター４０は、管理者側に設置されている。ここで、管理者とは、例えば、神社から祭り用品Ｍの貸し出しに関する管理を委託された者をいう。また、実施形態では、管理者は、祭り用品Ｍの保管も委託されており、祭り用品Ｍは管理者側で保管される。
【００１６】
神社端末１０は、インターネットなどの通信回線５０に接続されている。神社端末１０は、通信回線５０を介して、後述する貸出申込情報を管理者端末２０へ送信したり、返却確認データ及び洗濯確認データ（これらの各情報については後述する）を管理者端末２０から受信したりすることのできる送受信手段（不図示）を備えている。神社端末１０は、貸出申込情報を入力可能な操作部１１と、返却確認データ及び洗濯確認データを表示可能なディスプレイ１２とを備えている。神社端末１０は、操作部１１とディスプレイ１２とが別々に構成された１台のパーソナルコンピュータであるが、これに限定されず、例えば、画面に表示された部分をタッチして操作可能な構成であってもよいし、タブレット型のものやスマートホンなどの構成であってもよいし、複数台で構成されてもよい。
【００１７】
管理者端末２０は、通信回線５０に接続されている。そして、管理者端末２０は、通信回線５０を介して、貸出申込情報を神社端末１０から受信したり、返却確認データ及び洗濯確認データを神社端末１０へ送信したりすることのできる送受信手段（不図示）を備えている。また、管理者端末２０は、サーバー３０と接続可能であり、サーバー３０との間でデータを送受信することのできる相互通信手段（不図示）を備えている。
【００１８】
また、管理者端末２０は、リーダー・ライター４０で得られた取得情報を受信したり、サーバー３０に記憶された情報をリーダー・ライター４０に送信したりすることのできる通信手段（不図示）を備えている。この通信手段は、例えば、Bluetooth(登録商標）を利用した無線通信手段である。さらに、管理者端末２０は、データ処理を行うことのできる情報処理部（不図示）を備えている。
【００１９】
情報処理部は、サーバー３０に記憶されたデータに基づいて後述する貸出データ９０の作成が可能となっている。また、情報処理部は、リーダー・ライター４０から受信したＩＣタグ情報に基づいて返却確認データの作成が可能となっている。さらに、情報処理部は、祭り用品Ｍの返却後、返却された祭り用品Ｍの洗濯をクリーニング屋に委託する際に、クリーニング屋の名称を記載したリスト（クリーニングリスト）のデータＣＬ（図８参照）の作成が可能となっている。さらにまた、情報処理部は、クリーニング屋による上記洗濯の終了時に、リーダー・ライター４０から受信したＩＣタグ情報に基づいて洗濯確認データの作成が可能となっている。
【００２０】
管理者端末２０は、例えば図１に示すように、情報を入力可能な操作部２１と、サーバー３０に記憶されたデータなどを表示可能なディスプレイ２２と、を備えている。管理者端末２０は、操作部２１とディスプレイ２２とが別々に構成された１台のパーソナルコンピュータであるが、これに限定されず、例えば、画面に表示された部分をタッチして操作可能な構成であってもよいし、タブレット型のものやスマートホンなどの構成であってもよいし、複数台で構成されてもよい。
【００２１】
サーバー３０は、データを記憶し保存することのできる記憶部３１を備えている。記憶部３１には、名簿データ６０（図２参照）、用品データ７０（図３参照）、及びお祭りデータ８０（図４参照）の各データを含む情報が記憶される。また、サーバー３０は、管理者端末２０との間で相互にデータを送受信することのできる相互通信手段を備えている。このような管理者端末２０とサーバー３０との相互通信手段は、例えば通信ケーブルなどを利用した有線通信手段であるが、これに代えて、例えばBluetooth(登録商標）を利用した無線通信手段であってもよい。
【００２２】
名簿データ６０とは、氏子の名簿が記載されたデータである。名簿とは、少なくとも氏名の情報が記載されたリストをいう。図２は、名簿データ６０の一例を示す図である。図２に示すように、名簿データ６０は、氏子の氏名６１を含むデータである。図２に示す名簿データ６０では、氏子の氏名６１と、氏子の氏名６１のそれぞれに対応して付された管理番号６２と、を有している。例えば、名簿データ６０は、「浅草 太郎」との氏子の氏名６１と、その左側に「浅草 太郎」との氏子の氏名６１に対応して付された「１」との管理番号６２を有している。
【００２３】
名簿データ６０において、入出力される氏子の氏名６１は、漢字のデータであるが、平仮名、片仮名、ローマ字などであってもよい。管理番号６２は、例えば、図２に示すように「１、２、３、・・」といった自然数である。氏子の氏名６１に対して付与される管理番号６２としては、既に他の氏子に対応して付与された番号とは異なる新たな番号が使用される。つまり、同一の氏子に対して異なる管理番号６２が付されることがなく、かつ、異なる氏子に対して同一の管理番号６２が付されることのないようにする。このように氏子ごとに管理番号６２を割り当てることで、同姓同名の氏子が存在する場合でも、各氏子の情報をそれぞれ識別して管理することができる。なお、名簿データ６０は、このような構成に限定されず、例えば、氏子の住所や、年齢、性別などの情報を含んでもよい。この場合、例えば氏子の住所や、年齢、性別などの情報は、それぞれ、対象となる氏子の氏名６１の情報に関連付けた（つまり紐付けした）状態でデータ化される。
【００２４】
図３は、用品データ７０の一例を示す図である。用品データ７０とは、ＩＣタグＴが付された神社の所有する祭り用品Ｍが記載されたデータである。用品データ７０は、例えば図３に示すように、祭り用品Ｍの名称７１、祭り用品Ｍの数量７２、及び、所有する神社の名称７３の各情報を含むデータである。図３では、用品データ７０の一例として、神社ごとにその所有する祭り用品Ｍのリストを作成してこれらを一つに纏めてデータ化したものを示している。例えば、図３の用品データ７０では、「〇×神社」が、「１００」着の「はんてん」や、「２００」着の鯉口シャツ、「５０」個の「ちょうちん」などを所有していることを示すデータを含んでいる。
【００２５】
用品データ７０は、上述した構成に限定されず、例えば、祭り用品Ｍごとに、所有する神社の名称７３やその数量７２などのリストを作成してこれらを一つに纏めてデータ化したものなどであってもよい。また、上述した氏子に対応する管理番号６２のように、祭り用品Ｍに対しても、それぞれを個別に識別可能とするために、祭り用品Ｍのそれぞれに対応する番号や記号などの識別表示を付してもよく、このような識別表示を用品データ７０に含んでもよい。この場合、用品データ７０において、同種の祭り用品Ｍが複数ある場合、これら複数かつ同種の祭り用品Ｍの一つ一つについてそれぞれ区別することが可能となる。このような識別表示は、上述したＩＣタグ情報（例えばＩＤ番号）と同一の情報であってもよい。つまり、用品データ７０は、各祭り用品Ｍの情報と、各祭り用品Ｍに対してそれぞれ紐付けられたＩＣタグ情報と、を含むデータであってもよい。
【００２６】
お祭りデータ８０は、お祭りが開催される期間に関するデータである。図４は、お祭りデータ８０の一例を示す図である。お祭りデータ８０は、例えば図４に示すように、お祭りの名称８１、当該お祭りの開催される期間８２、当該お祭りの主催者の氏名又は名称８３、貸出日８４、及び、返却日８５の各情報を含むデータである。貸出日及び返却日は、お祭りの開催される期間に応じて設定される。例えば、貸出日はお祭りの初日の２〜３日前の日に設定され、返却日はお祭りの最終日に設定される。図４では、お祭りごとに、お祭りが開催される期間８２や主催者８３のリストを作成してこれらを一つに纏めてデータ化したものを示している。すなわち、図４のお祭りデータ８０では、「浅草三社祭り」が、「２０１９年５月２１日〜２３日」の期間、「浅草〇×神社」の主催により開催されることを示すデータを含んでいる。
【００２７】
お祭りデータ８０としては、図４に示す構成に限定されず、例えば、お祭りが開催される場所の情報や、開催時間の情報などを含むデータであってもよい。
【００２８】
リーダー・ライター４０は、データ処理をするためのパーソナルコンピュータとＩＣタグとの間で、ＩＣタグへ、又はＩＣタグからの情報を伝えるための機器をいう。図１に戻り、リーダー・ライター４０は、例えば人が片手にて把持出来る程度の大きさの手持ち型（ハンディ型）のものであり、ＩＣタグＴに記憶された情報を無線通信によって読み書き可能となっている。また、リーダー・ライター４０は、ＩＣタグＴから得られたＩＣタグ情報を含む情報を管理者端末２０に送信したり、後述する貸出データ９０を含む情報を受信したりすることのできる通信手段（不図示）を備えている。この通信手段は、上述したように、例えば、Bluetooth(登録商標）を利用した無線通信手段である。
【００２９】
次に、神社が氏子に対して祭り用品Ｍの貸し出しを行う場合における、管理システム１００の工程の一例について説明する。図５は、管理システム１００における祭り用品Ｍの貸出及び返却の工程を示すフローチャートである。以下、図５のフローチャートに沿って説明する。
【００３０】
図５に示すように、先ず、管理者端末２０が、神社端末１０から貸出申込情報を受信する（ステップＳ０１）。
【００３１】
貸出申込情報は、祭り用品Ｍの氏子への貸出しに必要な情報を含み、例えば、貸出しを申込む氏子の氏名（つまり貸出人名）や、貸出しを希望する祭り用品Ｍの名称（つまり貸出用品の名称）、貸出用品の数量（例えば枚数）、参加する祭りの名称、当該祭りの開催期間（換言すると貸出し期間）、などの情報を含む。このような貸出申込情報は、例えば、操作部１１から神社端末１０に入力されてもよいし、通信回線５０に接続された氏子の所有する端末を介して神社端末１０に送信されてもよい。貸出申込情報は、ステップＳ０１において、神社端末１０から通信回線５０を介して管理者端末２０に送信される。
【００３２】
次に、管理者端末２０が、貸出データ９０（図６参照）を作成し、作成した貸出データ９０をサーバー３０に保存する（ステップＳ０２）。
【００３３】
ステップＳ０２では、貸出申込情報を受信した管理者端末２０は、貸出申込情報と、用品データ７０から貸出用品と、名簿データ６０から貸出人名と、を対応させ、かつ、お祭りデータ８０から、貸出日と返却日を入力するリスト情報を新たに作成した貸出データ９０を作成する。すなわち、ステップＳ０２では、貸出データ９０は、例えば、次の（１）〜（３）の工程により作成される。
（１）貸出申込情報における貸出人名に関するデータを名簿データ６０から取得し、貸出申込情報における貸出用品に関するデータを用品データ７０から取得し、取得した貸出人名のデータと貸出用品のデータとを紐付けする（関連付ける）。
（２）貸出申込情報における祭りの情報に関するデータを祭りデータ８０から取得する。この際、祭りデータ８０から貸出日及び返却日のデータを取得する。
（３）（１）の互いに紐付けられた貸出人名及び貸出用品のデータと、（２）の貸出日及び返却日のデータと、を紐付け（関連付け）し、これを一つのデータとする。これにより貸出データ９０が作成される。
【００３４】
図６は、貸出データ９０の一例を示す図である。例えば図６に示すように、貸出データ９０は、借主の所属する神社の名称（所属神社名）９１、借主の氏名９２、貸出される祭り用品の名称（貸出用品名）９３、貸出（枚）数９４、貸出日９５、及び返却日９６、の情報を含む。これらの各情報のうち、貸出（枚）数９４及び返却（枚）数９７の以外の情報である、借主の所属する神社名９１、借主の氏名９２、貸出される祭り用品名９３、貸出日９５、及び返却日９６に関する情報は、名簿データ６０、用品データ７０、及び祭りデータ８０に基づくデータであり、貸出申込の対象となる貸出用品の情報に基づいて相互に関連付け（紐付け）がなされている。例えば、図６では、貸出データ９０において、各情報は、横一列に並べて、互いに関連付けされていることがわかる。なお、図６の貸出データ９０では、返却（枚）数の入力欄９７が設けられており、返却時にその返却数のデータの入力が可能となっている。
【００３５】
貸出データ９０の作成工程について、その一例を具体的に説明すると次のとおりである。例えば、管理者端末２０は、申込み者：浅草太郎、祭り用品名：はんてん、祭りの名称：浅草三社祭り、との情報を含む貸出申込情報を受信した場合、図２の名簿データ６０から「〇×神社」の「浅草 太郎」の情報を抽出して取得し（図２のＡ部、Ｂ部参照）、図３の用品データ７０から「〇×神社」の所有する「はんてん」の情報を抽出して取得し（図３のＣ部、Ｄ部参照）、図４の祭りデータ８０から貸出日「２０１９年５月１９日」及び返却日「２０１９年５月２３日」の情報を抽出して取得し（図４のＥ部、Ｆ部参照）、これらすべての情報を相互に関連付ける（紐付ける）。このようにして、図６に示す貸出データ９０が作成される。なお、上記の貸出日及び返却日は、いずれも予定日であって、実際の貸出日及び実際の返却日と必ずしも一致するとは限らない。
【００３６】
管理者端末２０において作成された貸出データ９０は、サーバー３０に送信され、サーバー３０に保存される。なお、上述した貸出データ９０の作成は、管理者端末２０に代えてサーバー３０が行ってもよい。
【００３７】
そして、祭り用品Ｍの貸出時に、リーダー・ライター４０を介して貸出データ９０をＩＣタグＴに送信する（ステップＳ０３）。
【００３８】
ステップＳ０３では、例えば、管理者が、氏子に対して貸し出す祭り用品Ｍに付されたＩＣタグＴに、リーダー・ライター４０を用いて貸出データ９０を送信し、貸出データの書き込みを行う。その後、管理者から氏子に対して、祭り用品Ｍが引き渡される。
【００３９】
そして、祭り用品Ｍの返却時には、貸し出した祭り用品Ｍが返却されたかを、リーダー・ライター４０を介して、ＩＣタグＴの情報から確認して、神社端末１０に送信する（ステップＳ０４）。
【００４０】
ステップＳ０４では、氏子から管理者に対して祭り用品Ｍが返却された際に、管理者は、リーダー・ライター４０を用いてＩＣタグＴに書き込まれた貸出データ９０を読み取る。これにより、貸し出した祭り用品Ｍが返却されたことが確認される。そして、貸し出した祭り用品Ｍの返却があった旨の情報を含む返却確認データが作成され、この返却確認データが管理者端末２０から神社端末１０に送信される。返却確認データは、祭り用品Ｍの返却時に読み取った貸出データ９０を含む情報であってもよいし、返却日時を示す情報（例えば「〇月〇日〇時〇分」との情報）である返却日時情報を含む情報であってもよいし、貸出データ９０の情報に返却日時情報を付加した情報であってもよい。また、祭り用品Ｍの返却時に、管理者端末２０は、貸出データ９０及び返却日時情報に基づいて、貸出用品が返却日（つまり貸出データ９０の返却（予定）日）までに返却されたか否かを判定してもよい。この場合、管理者端末２０は、判定結果のデータ、返却日時情報、及び貸出データ９０のうち一部又は全ての情報を含む返却確認データを作成してこれを神社端末１０に送信してもよい。
【００４１】
なお、貸出データ９０にＩＣタグ情報が含まれる場合には、管理者は、貸し出した祭り用品Ｍが返却された際に、リーダー・ライター４０を用いて祭り用品ＭのＩＣタグ情報を読み取り、管理者端末２０は、管理者の読み取ったＩＣタグ情報に基づいて、サーバー３０に保存された貸出データ９０から、返却された祭り用品Ｍに関する情報を取得して、返却確認データを作成してもよい。
【００４２】
管理者端末２０から送信された返却確認データを神社端末１０が受信することにより、神社側において、貸し出した祭り用品Ｍの返却があったことが確認される。なお、この際、貸出データ９０の返却（枚）数の入力欄６７（図６参照）に、返却数の情報の入力が行われてもよい。
【００４３】
このように、管理システム１００では、神社の氏子の名簿をデータ化し、また、神社が所有する祭り用品ＭにＩＣタグＴを付してデータ化する。そして、これらの情報を基に、貸出用品リストに関するデータを作成し、返却日に、貸出用品Ｍの不足がないかを確認してデータ化する。ここで、貸出用品Ｍの不足がないかを確認してデータ化する工程は、実際の貸出用品Ｍの返却日に行われてもよいし、貸出データ９０の返却（予定）日に、行われてもよい。
【００４４】
このような管理システム１００によれば、ＩＣタグＴを祭り用品Ｍ自体に付しておくことで、祭り用品Ｍの貸出の管理を容易に行うことができる。そして、貸出した祭り用品Ｍが、どの氏子から、そしてどの祭り用品Ｍが返却されていないかを管理できる。その結果、神社による祭り用品Ｍの管理に係る負担を軽減することができる。
【００４５】
上記したステップＳ０１〜Ｓ０４に引き続き、祭り用品Ｍの返却後、管理者からクリーニング屋に対して返却された祭り用品Ｍの洗濯を委託する場合における管理システム１００の工程について説明する。図７は、管理システム１００における祭り用品Ｍの洗濯をクリーニング屋に委託して行う工程の一例を示すフローチャートである。以下では、図７のフローチャートに沿って説明する。なお、上述した管理者による祭り用品Ｍの洗濯の委託は、例えば、祭り用品Ｍの返却と同時にしてもよいし、神社から管理者に対して祭り用品Ｍを洗濯する旨の指示があった際にしてもよい。また、神社が、管理者を介して祭り用品Ｍの洗濯をクリーニング屋に委託してもよい。
【００４６】
管理者端末２０は、貸出データ９０に基づき、クリーニング屋の名称を記載したリストのデータを新たに作成する（ステップＳ０５）。
【００４７】
ステップＳ０５では、貸出データ９０に基づき作成されかつクリーニング屋の名称の情報を含むリストであるクリーニングリストのデータ（以下「クリーニングリストデータ」という。）ＣＬが作成される。クリーニングリストデータＣＬは、管理者端末２０において作成され、管理者端末２０からサーバー３０に送信され、サーバー３０に保存される。なお、ステップＳ０５では、クリーニングリストデータＣＬの作成を、管理者端末２０に代えてサーバー３０が行ってもよい。すなわち、サーバー３０は、貸出データ９０に基づき、クリーニング屋の名称を記載したクリーニングリストデータＣＬを作成してもよい。
【００４８】
ここで、クリーニングリストデータＣＬについて説明する。図８は、クリーニングリストデータＣＬの一例を示す図である。図８に示すように、クリーニングリストデータＣＬは、貸出データ９０に基づく情報ＣＬ１と、クリーニングに関する情報ＣＬ２と、を含んでいる。貸出データ９０に基づく情報ＣＬ１とは、貸出データ９０の少なくとも一部のデータを含む情報をいう。クリーニングに関する情報ＣＬ２とは、洗濯を委託するクリーニング屋の名称（例えば図８の「〇クリーニング」）を含む情報をいう。なお、クリーニングに関する情報ＣＬ２には、クリーニング屋の名称の他、当該クリーニング屋の住所や、電話番号といった連絡先の情報を含んでもよい。クリーニングリストデータＣＬにおいて、貸出データ９０に基づく情報ＣＬ１と、クリーニングに関する情報ＣＬ２とは、相互に関連付けられている。すなわち、例えば、図８のクリーニングリストデータＣＬは、返却された祭り用品Ｍに関する情報であって貸出データ９０から取得された情報（つまり貸出データ９０に基づく情報ＣＬ１）と、返却された祭り用品Ｍのクリーニングに関する情報ＣＬ２と、を含んでいる。そして、例えば、図８では、クリーニングリストデータＣＬにおいて、クリーニングに関する情報ＣＬ２は、貸出データ９０に基づく情報ＣＬ１に対応するように貸出データ９０に基づく情報ＣＬ１の右側に表示され、互いに関連付けされていることがわかる。
【００４９】
続いて、管理者端末２０は、洗濯する祭り用品Ｍをリーダー・ライター４０から読み込んだＩＣタグ情報を受信する（ステップＳ０６）。
【００５０】
ステップＳ０６では、管理者端末２０は、リーダー・ライター４０が読み込んだ洗濯する祭り用品ＭのＩＣタグ情報を受信する。すなわち、洗濯される祭り用品Ｍに付されたＩＣタグＴをリーダー・ライター４０で読み取り、読み取ったＩＣタグ情報をリーダー・ライター４０から管理者端末２０へ送信する。読み取ったＩＣタグ情報から、クリーニング屋へ送られる祭り用品Ｍが特定され、クリーニング屋へ送られる祭り用品Ｍが把握される。
【００５１】
続いて、クリーニング屋からの洗濯終了時に、ＩＣタグＴからの情報で、洗濯された祭り用品Ｍの全て確認する（ステップＳ０７）。
【００５２】
ステップＳ０７では、例えば、クリーニング屋から管理者に対して洗濯後の祭り用品Ｍが引き渡された際、管理者は、リーダー・ライター４０を用いて、クリーニング屋から引き渡された祭り用品ＭのＩＣタグＴに書き込まれたデータ（例えば貸出データ９０やＩＣタグ情報）を読み取る。このＩＣタグＴに書き込まれたデータの読み取り作業は、洗濯された祭り用品Ｍの全てに対して行われる。これにより、読み取ったＩＣタグＴからの情報で、洗濯を依頼した祭り用品Ｍの全てについて洗濯が完了したことが確認される。
【００５３】
最後に、管理者端末２０から神社端末１０に、祭り用品Ｍの全てが洗濯された旨を送信する（ステップＳ０８）。
【００５４】
ステップＳ０８では、祭り用品Ｍの全ての洗濯が完了した旨の情報を含む洗濯確認データが作成され、この洗濯確認データが管理者端末２０から神社端末１０に送信される。洗濯確認データは、洗濯された祭り用品Ｍに関する情報を含むデータであってもよい。この場合、かかる洗濯された祭り用品Ｍに関する情報は、クリーニングリストデータＣＬから取得した情報であってもよく、この場合、洗濯後の祭り用品Ｍの引き渡し時に読み取ったＩＣタグ情報に基づいて、当該ＩＣタグ情報に対応する祭り用品ＭのデータをクリーニングリストデータＣＬから抽出した情報であってもよい。洗濯された祭り用品Ｍに関する情報とは、例えば、洗濯された祭り用品Ｍの名称、洗濯された祭り用品Ｍを所有する神社名、洗濯された祭り用品Ｍの枚数、洗濯を行なったクリーニング屋の名称、引き渡し日時などの情報を含む情報である。
【００５５】
このように、管理システム１００によれば、ＩＣタグＴを祭り用品Ｍ自体に付しておくことで、洗濯の管理を容易にできる。その結果、返却された祭り用品Ｍの洗濯をクリーニング屋に委託する場合であっても、その管理が容易である。
【００５６】
続いて、上記した実施形態に係る変形例について説明する。図９は、変形例に係る管理システム２００の概要を示す概略図である。なお、以下の説明において、上記した実施形態と同一または同等の構成部分については同一符号を付けて説明を省略または簡略化する。
【００５７】
変形例に係る管理システム２００は、サーバー２３０の配置を除き、上記した実施形態に係る管理システム１００と同一の構成である。サーバー２３０は、上述した実施形態に係るサーバー３０と同様の構成であるが、図９に示すように、クラウド上に設置されている。サーバー２３０と管理者端末２０との相互通信は、通信回線５０を介して行われる。
【００５８】
神社が氏子に対して祭り用品Ｍの貸し出しを行う場合における管理システム２００の工程は、上述した管理システム１００のステップＳ０１〜Ｓ０４と同様である。また、返却された祭り用品Ｍの洗濯を委託する場合における管理システム２００の工程についても、上述した管理システム１００のステップＳ０５〜Ｓ０８と同様である。
【００５９】
このような管理システム２００によれば、サーバー２３０は、クラウド上に設置されているので、神社端末１０でも、返却確認データ（返却情報）を閲覧することができる。更に、神社からクリーニング屋に洗濯を委託する場合においても、返却確認データ（返却情報）を閲覧できる。
【００６０】
以上、本発明の実施形態について説明したが、本発明は、上記した実施形態に限定されるものではなく、本発明の要旨を逸脱しない範囲において種々の変更が可能である。例えば、上記の実施形態で説明した要件の一つ以上は、省略されることがある。
【００６１】
また、上述した管理システム１００，２００は、神社が所有する祭り用品Ｍに、祭り用品を識別するＩＣタグ情報が記憶されたＩＣタグＴを付して、神社に属する氏子にＩＣタグＴが付された祭り用品Ｍの貸出し及び洗濯の管理を委託された業務に関するシステムであったが、これに代えて、町内会が所有する祭り用品Ｍに、祭り用品Ｍを識別するＩＣタグ情報が記憶されたＩＣタグを付して、町内会に属する町内会会員にＩＣタグが付された祭り用品Ｍの貸出し及び洗濯の管理を委託された業務に関して用いられてもよい。ここで、町内会とは、例えば、町内に組織される住民の自治組織をいう。また、町内会会員は、例えば、町内会に所属する人をいう。この場合、上述した管理システム１００，２００の説明における、神社、氏子は、それぞれ、町内会、町内会会員に相当する。
【００６２】
また、上述した管理システム１００，２００の説明では、管理者は貸し出す祭り用品Ｍの保管も委託されており、祭り用品Ｍは全て管理者側で保管されていたが、これに代えて、祭り用品Ｍは、神社側・町内会側で保管されてもよい。この場合、神社・町内会と氏子・町内会会員との間で、祭り用品Ｍの引き渡しを直接行うようにしてもよいし、神社・町内会とクリーニング屋との間で、直接、祭り用品Ｍの引き渡しを行うようにしてもよい。
【符号の説明】
【００６３】
Ｍ  祭り用品（貸出用品）
Ｔ  ＩＣタグ  
１０  神社端末
２０  管理者端末
３０，２３０  サーバー
４０  リーダー・ライター
６０  名簿データ
７０  用品データ
８０  お祭りデータ
９０  貸出データ
１００，２００  管理システム
【図１】
2020135421.tif 000003
【図２】
2020135421.tif 000004
【図３】
2020135421.tif 000005
【図４】
2020135421.tif 000006
【図５】
2020135421.tif 000007
【図６】
2020135421.tif 000008
【図７】
2020135421.tif 000009
【図８】
2020135421.tif 000010
【図９】
2020135421.tif 000011